(57)【特許請求の範囲】
【請求項１】
上流側の通水路と下流側の通水路とを連通させる連通口を、プランジャ弁体の弁座への当接と離間とによって開閉するようになした弁装置において、
前記プランジャ弁体を磁性体且つ非永久磁石から成る吸引部を含むように構成して、該プランジャ弁体を筒状の弁ケーシング内に、前記弁座に当接する閉弁位置と該弁座から所定距離離れた開弁位置との間で軸方向に移動可能に水密に封入するとともに、該弁ケーシングの外側に永久磁石を操作部材とともに該プランジャ弁体の軸方向に設定した開操作位置と閉操作位置との間で移動可能に設け、該永久磁石の開操作位置と閉操作位置とで該吸引部を通る磁路を切り替えて、閉操作位置で該プランジャ弁体を閉弁位置に押し付ける向きに、また開操作位置で該プランジャ弁体を開弁位置に引き込む向きに該永久磁石による磁力を該プランジャ弁体に作用させるようになし、
前記吸引部は前記プランジャ弁体の軸直角方向外方に突出する突出部を有するものとなして、該突出部と前記永久磁石との間の相対位置変化により前記磁路を切り替えるようになし、
更に該吸引部は前記突出部を前記軸方向に隔てて複数有するものとなして、各突出部と前記永久磁石との間の相対位置変化により前記磁路を切り替えるようになしたことを特徴とする永久磁石を用いた弁装置。
【請求項２】
請求項１において、前記吸引部には前記弁座より遠い側の第一突出部と該弁座に近い側の第二突出部とを前記軸方向に隔てて形成し、該第一突出部と前記永久磁石間の距離と、該第二突出部と該永久磁石間の距離とを、該永久磁石の前記閉操作位置と開操作位置とで異なるものとし、以て該永久磁石の軸方向の移動に伴って前記磁路を切り替えるようになしたことを特徴とする永久磁石を用いた弁装置。
【請求項３】
請求項１において、前記吸引部には前記弁座より遠い側から第一，第二，第三の突出部を軸方向に隔てて形成し、該第一突出部及び第二突出部と前記永久磁石間の距離と、該第二突出部及び第三突出部と該永久磁石間の距離とを、該永久磁石の閉操作位置と開操作位置とで異なるものとなし、以て該永久磁石の軸方向の移動に伴って前記磁路を切り替えるようになしたことを特徴とする永久磁石を用いた弁装置。
【請求項４】
請求項１〜３の何れかにおいて、前記吸引部を、前記突出部と一体の磁性体且つ非永久磁石から成る軸部を有する形態となしたことを特徴とする永久磁石を用いた弁装置。
【請求項５】
請求項３において、前記吸引部を前記突出部と一体の磁性体且つ非永久磁石から成る軸部を有する形態となし且つ該軸部の太さを、前記第一突出部と第二突出部との間の部分と、該第二突出部と前記第三の突出部との間の部分とで異ならせたことを特徴とする永久磁石を用いた弁装置。
【請求項６】
請求項１〜５の何れかにおいて、前記プランジャ弁体を、前記吸引部と樹脂等非磁性体との複合体として構成したことを特徴とする永久磁石を用いた弁装置。
【請求項７】
請求項６において、前記吸引部を磁性体且つ非永久磁石から成る互いに分離した複数のブロックにて構成し、該ブロックを前記非磁性体と一体化することによって前記突出部を形成したことを特徴とする永久磁石を用いた弁装置。
【請求項８】
請求項１〜７の何れかにおいて、前記突出部を前記弁ケーシングの内面に軸方向に摺動可能に嵌合し、該弁ケーシングをガイドとして、該突出部を被ガイド部としてそれぞれ構成したことを特徴とする永久磁石を用いた弁装置。
【請求項９】
請求項１〜８の何れかにおいて、前記操作部材を、閉操作位置から開操作位置に押込操作されるものとなしたことを特徴とする永久磁石を用いた弁装置。
【請求項１０】
請求項１〜９の何れかにおいて、前記弁装置を、フラッシュバルブにおける主弁の作動制御用のパイロット弁として構成したことを特徴とする永久磁石を用いた弁装置。
【発明の詳細な説明】
【０００１】
【発明の属する技術分野】
この発明は水回り機器の弁装置、例えばフラッシュバルブにおける主弁の作動制御用のパイロット弁装置等として好適な永久磁石を用いた弁装置に関する。
【０００２】
【従来の技術及び発明が解決しようとする課題】
従来水回り機器の弁装置として、電磁誘導により弁体を開閉する電磁弁形式のもの、機械的に弁体を操作軸により開閉する形式のもの等各種のものが知られている。
【０００３】
ここで機械式の弁装置の場合、操作軸等の操作部材と弁体とを直接連結することが必要で、その連結部分ないし周辺部から水漏れを起こす恐れがあるといった問題がある。
【０００４】
これに対して電磁弁式の弁装置の場合、弁体の外側に電磁コイルを配して、電磁コイルにより非接触で弁体を駆動できることから、水密性の確保が容易である利点を有する反面、電源及び電気工事が必要であり、また停電時に弁駆動ができないといった問題がある。
【０００５】
この他図１３に示しているように、永久磁石による磁力を利用して弁体を開閉する形式のものも考えられている。
同図において２００は上流側通水路２０２Ａと下流側通水路２０２Ｂとを連通させる連通口で、２０４は弁座である。
２０６は弁座２０４への当接又は離間によって連通口２００を開閉する磁性体から成るプランジャ弁体で、筒状のケーシング２０８内部に軸方向に移動可能に嵌合・収容されている。
【０００６】
２１０はこのケーシング２０８内においてプランジャ弁体２０６と軸方向に対向するように設けられた固定鉄心で、この固定鉄心２１０とプランジャ弁体２０６との間には復帰ばね２１２が介装されており、その復帰ばね２１２によってプランジャ弁体２０６が閉弁方向に付勢されている。
【０００７】
ケーシング２０８の外側には永久磁石２１４とヨーク２１６とが図中上下方向、つまりプランジャ弁体２０６の軸方向に移動可能に設けられており、これら永久磁石２１４，ヨーク２１６が操作部材２１８によって図中上向きに押上操作されるようになっている。
尚、押上操作された永久磁石２１４，ヨーク２１６及び操作部材２１８は復帰ばね２２０により元位置へと戻される。
【０００８】
この弁装置では、永久磁石２１４及びヨーク２１６が操作部材２１８によって図中上向きに押し上げられると、磁性体から成るプランジャ弁体２０６が下向きに吸引されて連通口２００を開放状態とする。
一方押上力を解除すると、永久磁石２１４が下向きに移動し、ここにおいてプランジャ弁体２０６に対する復帰ばね２１２の付勢力が打ち勝ってプランジャ弁体２０６が図中上向きに押し上げられ、弁座２０４に当接して連通口２００を閉鎖状態とする。
【０００９】
この弁装置もまた、操作部材２１８とプランジャ弁体２０６とを非接触状態とすることができ、従って操作部材の移動ストローク部分の水封が難しいなどの問題を有しない利点を有する。
また永久磁石２１４が水と接触しないことから、永久磁石２１４が水との接触により錆びを発生してしまうといった問題も生じない。
【００１０】
しかしながらこの弁装置の場合、プランジャ弁体２０６を閉弁位置に戻すための復帰ばね２１２が必要で、従ってまたその復帰ばね２１２を収容するための収容スペースを設けておくことが必要であり、部品点数が多くなるとともに弁装置が大型化し、コストも高くなるといった問題を有する。
【００１１】
【課題を解決するための手段】
本願の発明はこのような課題を解決するためになされたものである。
而して請求項１の弁装置は、上流側の通水路と下流側の通水路とを連通させる連通口を、プランジャ弁体の弁座への当接と離間とによって開閉するようになした弁装置において、前記プランジャ弁体を磁性体且つ非永久磁石から成る吸引部を含むように構成して、該プランジャ弁体を筒状の弁ケーシング内に、前記弁座に当接する閉弁位置と該弁座から所定距離離れた開弁位置との間で軸方向に移動可能に水密に封入するとともに、該弁ケーシングの外側に永久磁石を操作部材とともに該プランジャ弁体の軸方向に設定した開操作位置と閉操作位置との間で移動可能に設け、該永久磁石の開操作位置と閉操作位置とで該吸引部を通る磁路を切り替えて、閉操作位置で該プランジャ弁体を閉弁位置に押し付ける向きに、また開操作位置で該プランジャ弁体を開弁位置に引き込む向きに該永久磁石による磁力を該プランジャ弁体に作用させるようになし、前記吸引部は前記プランジャ弁体の軸直角方向外方に突出する突出部を有するものとなして、該突出部と前記永久磁石との間の相対位置変化により前記磁路を切り替えるようになし、更に該吸引部は前記突出部を前記軸方向に隔てて複数有するものとなして、各突出部と前記永久磁石との間の相対位置変化により前記磁路を切り替えるようになしたことを特徴とする。
【００１２】
請求項２の弁装置は、請求項１において、前記吸引部には前記弁座より遠い側の第一突出部と該弁座に近い側の第二突出部とを前記軸方向に隔てて形成し、該第一突出部と前記永久磁石間の距離と、該第二突出部と該永久磁石間の距離とを、該永久磁石の前記閉操作位置と開操作位置とで異なるものとし、以て該永久磁石の軸方向の移動に伴って前記磁路を切り替えるようになしたことを特徴とする。
【００１３】
請求項３の弁装置は、請求項１において、前記吸引部には前記弁座より遠い側から第一，第二，第三の突出部を軸方向に隔てて形成し、該第一突出部及び第二突出部と前記永久磁石間の距離と、該第二突出部及び第三突出部と該永久磁石間の距離とを、該永久磁石の閉操作位置と開操作位置とで異なるものとなし、以て該永久磁石の軸方向の移動に伴って前記磁路を切り替えるようになしたことを特徴とする。
【００１４】
請求項４の弁装置は、請求項１〜３の何れかにおいて、前記吸引部を、前記突出部と一体の磁性体且つ非永久磁石から成る軸部を有する形態となしたことを特徴とする。
【００１５】
請求項５の弁装置は、請求項３において、前記吸引部を前記突出部と一体の磁性体且つ非永久磁石から成る軸部を有する形態となし且つ該軸部の太さを、前記第一突出部と第二突出部との間の部分と、該第二突出部と前記第三の突出部との間の部分とで異ならせたことを特徴とする。
【００１６】
請求項６の弁装置は、請求項１〜５の何れかにおいて、前記プランジャ弁体を、前記吸引部と樹脂等非磁性体との複合体として構成したことを特徴とする。
【００１７】
請求項７の弁装置は、請求項６において、前記吸引部を磁性体且つ非永久磁石から成る互いに分離した複数のブロックにて構成し、該ブロックを前記非磁性体と一体化することによって前記突出部を形成したことを特徴とする。
【００１８】
請求項８の弁装置は、請求項１〜７の何れかにおいて、前記突出部を前記弁ケーシングの内面に軸方向に摺動可能に嵌合し、該弁ケーシングをガイドとして、該突出部を被ガイド部としてそれぞれ構成したことを特徴とする。
【００１９】
請求項９の弁装置は、請求項１〜８の何れかにおいて、前記操作部材を、閉操作位置から開操作位置に押込操作されるものとなしたことを特徴とする。
【００２０】
請求項１０の弁装置は、請求項１〜９の何れかにおいて、前記弁装置を、フラッシュバルブにおける主弁の作動制御用のパイロット弁として構成したことを特徴とする。
【００２１】
【作用及び発明の効果】
上記のように請求項１の弁装置は、プランジャ弁体を吸引部を含むように構成し、そのプランジャ弁体を収容する弁ケーシングの外側に永久磁石を移動可能に設け、そして永久磁石の移動により吸引部を通る磁路（最も多く磁束の通る通路）を切り替えて、閉操作位置でプランジャ弁体を閉弁位置に押し付け、また開操作位置でプランジャ弁体を開弁位置に引き込む向きに、かかるプランジャ弁体に対して永久磁石による磁力を作用させるようになしたもので、この弁装置の場合、永久磁石が操作部材とともに位置移動することによってプランジャ弁体に作用する磁力の向きが逆転し、以てプランジャ弁体が閉弁位置に押し付けられたり或いは開弁位置に引き離されるため、上記図１３に示す弁装置のようにプランジャ弁体を開弁位置から閉弁位置に戻すための復帰ばねや、その復帰ばねを収容するスペースを設けておく必要がなく、従って部品点数を少なくできるとともに弁装置を小型化でき、またコストを低減することができる。
【００２２】
尚、図１３の弁装置においてプランジャ弁体２０６自体を永久磁石で構成し、ケーシングの外側に設けた永久磁石２１４の移動によって、プランジャ弁体２０６とその外側の永久磁石２１４とを互いに吸引させたり反発させたりすることによって、プランジャ弁体２０６を開閉するようになすといったことも可能で、この場合においてもプランジャ弁体２０６を開弁位置から閉弁位置に戻すための復帰ばね２１２及びその収容スペースを省略することが可能である。
【００２３】
しかしながらこの場合、プランジャ弁体を成す永久磁石が常に水に接触することとなる問題を生ずる。永久磁石材料は錆びやすい問題があり、従って実際にはそのような接水部分に永久磁石を用いるといったことは難しい。
【００２４】
しかるに本発明ではプランジャ弁体、詳しくは吸引部を磁性体且つ非永久磁石にて構成し、磁路を切り替えることでプランジャ弁体を正逆両方向に駆動するようになしているためこうした問題を生じない。
尚、この吸引部は例えば磁性を有するステンレス鋼にて構成することができる。
【００２５】
また本発明の弁装置は、吸引部をプランジャ弁体における軸直角方向外方に突出する突出部を有するものとなしたもので、このようにすれば上記磁路の切替えを容易に行うことができる。
【００２６】
更に本発明の弁装置は、上記吸引部が突出部をプランジャ弁体における軸方向に隔てて複数有するものとなしたもので、このように突出部を複数形成することによって、上記磁路の切替えを更に容易に行えるようになる。
【００２７】
請求項２の弁装置は、プランジャ弁体に第一及び第二の突出部を軸方向に距離を隔てて形成し、永久磁石の閉操作位置と開操作位置とで第一突出部及び永久磁石間の距離と、第二突出部及び永久磁石間の距離とをそれぞれ異なるものとなし、以て永久磁石の移動に伴って磁路を切り替えるようになしたもので、このようにすることにより永久磁石の移動に伴って容易に磁路を切り替えることができる。
【００２８】
この場合において、前記閉操作位置で前記第一突出部及び前記永久磁石間の距離が前記第二突出部及び永久磁石間の距離に対して近く、開操作位置において第二突出部及び永久磁石間の距離が第一突出部及び永久磁石間の距離に対して近くなるように設定しておくことができる。
【００２９】
請求項３の弁装置は、上記吸引部に第一，第二，第三突出部を軸方向に隔てて形成したもので、このようにすれば磁路の切替えを更に容易に行い得るとともに、プランジャ弁体に対して互いに逆向きの吸引力をより強く及ぼすことが可能となる。
【００３０】
請求項４の弁装置は、上記突出部と一体の磁性体且つ非永久磁石からなる軸部を有するように前記吸引部を構成したもので、このようにすればかかる突出部を容易に形成することができる。
【００３１】
請求項５の弁装置は、請求項３において上記吸引部を軸部を有する形態となすとともに、その軸部の太さを、上記第一突出部と第二突出部との間の部分と、第二突出部と第三突出部との間の部分で異ならせたもので、このようにすれば永久磁石によるプランジャ弁体の閉弁方向への押付力と開弁方向への引戻し力とを異ならせることができる。
従って、例えば閉弁時においてプランジャ弁体に対し水圧が作用しているような場合にも容易にこれをその水圧に打ち勝って開弁方向に引き戻すようになすことができる。
【００３２】
本発明においては、上記プランジャ弁体を吸引部と樹脂等非磁性体との複合体として構成することができる（請求項６）。
このようにすることによってプランジャ弁体の全体形状を容易に所望の形状に形成することができる。
【００３３】
本発明においては、磁性体且つ非永久磁石からなる複数のブロックにて吸引部を構成し、これを上記樹脂等非磁性体と一体化してプランジャ弁体となすことができる（請求項７）。
このようにすれば、樹脂等との複合化の段階で突出部の位置を容易に所望位置に位置設定することができる。
【００３４】
請求項８の弁装置は、上記突出部を弁ケーシングの内面に軸方向に摺動可能に嵌合し、以て弁ケーシングをガイドとして、また突出部を被ガイド部としてそれぞれ構成したもので、このようにすることによってプランジャ弁体を円滑に軸方向に移動及び案内することができる。
また案内のための別の突出部をプランジャ弁体に設ける必要がない利点が得られる。
【００３５】
請求項９の弁装置は、操作部を押込操作したときにプランジャ弁体が開弁し、操作部材が元位置に戻ったときにプランジャ弁体が閉弁するようになしたもので、この弁装置の場合操作性が良好である利点がある。
尚請求項１〜９において、上記操作部材は開操作位置から閉操作位置に向けて復帰ばねにより付勢するようになすことができる。
【００３６】
本発明の弁装置は、フラッシュバルブにおける主弁の作動制御用のパイロット弁として好適に適用することができる（請求項１０）。
【００３７】
【実施例】
次に本発明をフラッシュバルブにおけるパイロット弁装置に適用した場合の実施例を図面に基づいて詳しく説明する。
図１において、１０はそのフラッシュバルブで、１２Ａ，１２Ｂはそれぞれ上流側の主通水路，下流側の主通水路であり、連通口１４において互いに連通ないし連通遮断されるされるようになっている。
【００３８】
１６はそれら主通水路１２Ａ，１２Ｂを連通し又は遮断する主弁装置で、主弁体１８を弁座２０に当接させ又はこれから離間させることによって主通水路１２Ａ，１２Ｂを開閉、即ち連通ないし遮断するようになっている。
２２は主弁体１８の背面側に形成された背圧室（背圧室２２は主弁体１８を貫通する図示しない通孔を通じて上流側の主通水路１２Ａに連通している）で、一次パイロット通水路（上流側の一次通水路）２４Ａを介して一次パイロット弁装置２６の水室２８に連通している。
【００３９】
図２に示しているようにこの一次パイロット通水路２４Ａは、連通口３０において下流側の一次パイロット通水路２４Ｂに連通しており、その連通口３０が一次パイロット弁装置２６における弁体３１によって開閉させられるようになっている。
即ち弁体３１が弁座３２に当接することで連通口３０が遮断され、また弁体３１が弁座３２から離間することによって連通口３０が開放されるようになっている。
尚下流側の一次パイロット通水路２４Ｂは、上記下流側の主通水路１２Ｂにつながっている。
【００４０】
図２において、弁体３１の背面側には背圧室３４が形成されており、そこに復帰ばね３６が弁体３１を閉弁方向に付勢する状態で装着されている。
【００４１】
本例のフラッシュバルブ１０の場合、一次パイロット弁装置２６における弁体３１が開くと、主弁装置１６における背圧室２２内部の水が一次パイロット通水路２４Ａ及び２４Ｂを通じて下流側の主通水路１２Ｂに抜かれる。
これにより主弁体１８が主通水路１２Ａ内の給水圧により開弁し、ここにおいて主通水路１２Ａ，１２Ｂが連通状態となって同通水路を大量の水が流通する。
【００４２】
また一方一次パイロット弁装置２６における弁体３１が閉弁すると、背圧室２２内部に主通水路１２Ａからの水が流入して背圧室２２内部の圧力が上昇し、これにより主弁体１８が閉弁させられる。ここにおいて主通水路１２Ａ，１２Ｂが遮断状態となり、フラッシュバルブ１０を通じての給水が停止する。
【００４３】
上記一次パイロット弁装置２６における水室２８は、弁体３１を貫通する通孔４０を介して二次パイロット弁装置４２における上流側の二次パイロット通水路４４Ａに連通させられている。
更にまたこの上流側の二次パイロット通水路４４Ａは、図３に示しているように連通口４６において下流側の二次パイロット通水路４４Ｂと連通させられている。
尚この下流側の二次パイロット通水路４４Ｂは、図１の下流側の主通水路１２Ｂにつながっている。
【００４４】
図３において、４８は二次パイロット弁装置４２におけるプランジャ弁体で、このプランジャ弁体４８の弁座５０への当接又は弁座５０からの離間によって連通口４６の開放及び遮断、即ち二次パイロット通水路４４Ａ，４４Ｂの連通・遮断が行われる。
ここでプランジャ弁体４８は、その全体が磁性体且つ非永久磁石にて構成されている。即ちこの例ではプランジャ弁体４８の全体が磁性体且つ非永久磁石から成る吸引部として構成されている。具体的には、この例ではプランジャ弁体４８は磁性を有するステンレス鋼にて構成されている。
【００４５】
プランジャ弁体４８には、軸部４９，弁座５０と反対側の端部において軸部４９からその軸直角方向外方に突出する環状の第一フランジ部（第一突出部）５１を一体に有しており、またこの第一フランジ部５１と弁座５０側の端部との間の位置において環状の第二フランジ部（第二突出部）５２を一体に有している。
【００４６】
５４は第二パイロット弁装置４２における有底円筒形状の弁ケーシングで、この弁ケーシング５４の内部にプランジャ弁体４８が軸方向に移動可能に収容されている。
ここでプランジャ弁体４８は、第一フランジ部５１及び第二フランジ部５２の外周端面において弁ケーシング５４の内面に嵌合されており、弁ケーシング５４をガイドとして、また第一フランジ部５１及び第二フランジ部５２を被ガイド部として軸方向に移動案内されるようになっている。
【００４７】
尚このプランジャ弁体４８は、弁座５０に当接する位置が閉弁位置となり（同図(Ｉ)参照）、また第一フランジ部５１の図３中上面が弁ケーシング５４の底部に当接する位置が開弁位置となる（同図(II)参照）。
【００４８】
弁ケーシング５４の外周面には、リング状の永久磁石５６と有底円筒形状の直接操作部材５８とが摺動可能に嵌合されており、その直接操作部材５８の図３中下向きの押込操作によって、プランジャ弁体４８が開弁動作させられ、また復帰ばね６０による図３中上方向の戻し作用によってプランジャ弁体４８が閉弁動作するようになっている。
その原理は以下の通りである。
【００４９】
この二次パイロット弁装置４２の場合、永久磁石５６と磁性体から成るプランジャ弁体４８との間に磁路が形成される。
具体的には、図３（Ｉ）の閉弁状態の下においては永久磁石５６とプランジャ弁体４８の第一フランジ部５１との間に最も磁束密度の高い磁路が形成され、プランジャ弁体４８の第一フランジ部５１に対して永久磁石５６による強い吸引力が働く。
【００５０】
従ってプランジャ弁体４８は、その永久磁石５６による磁力によって図３（Ｉ）中下向き（図２では上向き）に吸引されて連通口４６を閉じた状態となる。即ちプランジャ弁体４８が閉弁位置に押し付けられた状態となる。
【００５１】
この状態から永久磁石５６を直接操作部材５８とともに図３中下向きに押し込み、図３（Ｉ）に示す閉操作位置から図３（II）に示す開操作位置まで移動させると、プランジャ弁体４８と永久磁石５６との間の磁路が切り替わって、第二フランジ部５２に対する永久磁石５６の吸引力の方が第一フランジ部５１に対する吸引力よりも強いものとなる。
【００５２】
ここにおいてプランジャ弁体４８は、その永久磁石５６の第二フランジ部５２に対する吸引力によって弁座５０から引き離され、開弁位置即ち第一フランジ部５１の上面を弁ケーシング５４の底部に当接させる状態に位置保持される。ここにおいて二次パイロット通水路４４Ａと４４Ｂとが連通状態となる。
【００５３】
そしてこの状態で永久磁石５６に対する押込操作力を解除すると、永久磁石５６及び直接操作部材５８が、図３(II)の状態から(Ｉ)の状態に戻り、ここにおいてプランジャ弁体４８が再び閉弁位置に押し付けられた状態となって、二次パイロット通水路４４Ａ，４４Ｂが遮断された状態となる。
【００５４】
本例のフラッシュバルブ１０においては、二次パイロット弁装置４２におけるプランジャ弁体４８が開弁し、二次パイロット通水路４４Ａ及び４４Ｂが連通状態になると、図２の一次パイロット弁装置２６における背圧室３４内部の水が二次パイロット通水路４４Ａ，４４Ｂを通って図１の下流側の主通水路１２Ｂ側に流れ出、一次パイロット弁装置２６の弁体３１に対する背圧の作用がなくなる。これにより一次パイロット弁装置２６の弁体３１が開弁動作し、これに続いて主弁装置１６における主弁体１８が開いて主通水路１２Ａ，１２Ｂが連通状態となる点は上述した通りである。
【００５５】
また二次パイロット弁装置４２におけるプランジャ弁体４８が閉弁動作すると、一次パイロット弁装置２６における背圧室３４に背圧が発生及び増大して弁体３１が閉弁動作し、そしてこれに伴って主弁装置１６における背圧室２２内に背圧が発生及び増大して主弁１８が閉弁動作する。
尚、本例において二次パイロット弁装置４２における弁ケーシング５４は非磁性体、具体的には非磁性のステンレス鋼にて構成されている。
【００５６】
本例において、二次パイロット弁装置４２における弁ケーシング５４は、図２に示しているように二次パイロット弁装置４２のボデー６２に固定的に設けられており、そしてその弁ケーシング５４のフランジ部と永久磁石５６との間に復帰ばね６０が介装されている。
【００５７】
図２において６４は押上操作部材で、この押上操作部材６４がピン６６から加えられる操作力によって図２中上方に押し上げられる。
このピン６６には、図１中押ボタン７０において加えられた操作力が、操作力伝達部材６８を介して伝達される。
【００５８】
ここで操作力伝達部材６８は、非伸縮性且つ可撓性のアウターチューブ７２の内部に、同じく非伸縮性且つ可撓性のインナーケーブル７４を摺動可能に挿通した形態のもので、押ボタン７０において操作力を加えると、その操作力がインナーケーブル７４に伝えられ、そのインナーケーブル７４がアウターチューブ７２の案内の下に軸線方向に移動してピン６６を押し上げる。
【００５９】
以上のように本例によれば、永久磁石５６が直接操作部材５８とともに位置移動することによってプランジャ弁体４８に作用する磁力の向きが逆転し、以てプランジャ弁体４８が閉弁位置に押し付けられたり或いは開弁位置に引き離されるため、プランジャ弁体４８を開弁位置から閉弁位置に戻すための復帰ばねやその復帰ばねを収容するスペースを設けておく必要がなく、従って部品点数を少なくできるとともに弁装置を小型化でき、またコストを低減することができる。
【００６０】
また本例ではプランジャ弁体４８を非永久磁石且つ磁性体にて構成し、磁路を切り替えることでプランジャ弁体４８を正逆両方向に駆動するようになしているため、接水部分にある弁体自体を永久磁石にて構成した場合と異なって、弁体の錆びの問題を生じない。
【００６１】
また本例の場合、第一フランジ部５１及び第二フランジ部５２を弁ケーシング５４の内面に軸方向に摺動可能に嵌合し、以て弁ケーシング５４をガイドとして、また第一及び第二フランジ部５１，５２を被ガイド部としてそれぞれ構成しているため、プランジャ弁体４８を円滑に軸方向に移動及び案内することができ、ガイドのための別の突出部をプランジャ弁体４８に設ける必要がない利点を有する。
【００６２】
本発明おいては永久磁石及びプランジャ弁体の形状及び位置関係を上例以外の様々な形状，位置関係に設定することが可能である。
図４及び図５はそれらの例を示している。
このうち図４（Ａ）の例は、永久磁石７８を閉操作位置に位置させたときに永久磁石７８の図中下端面とプランジャ弁体７６の軸端部に形成した第二フランジ部５２の下端面とを近接させてプランジャ弁体７６に下向きの押付力、即ちプランジャ弁体７６を閉弁位置に押し付ける向きの吸引力を作用させ、また永久磁石７８を図中下向きに移動させて開操作位置に位置させたときに、永久磁石７８の上端面と第二フランジ部５２の上端面とを近接させてプランジャ弁体７６を図中上向き、つまり開弁位置に引き上げるようになした例である。
【００６３】
また図４（Ｂ）の例は、閉操作位置において永久磁石８０の上端面と第一フランジ部５１の下端面とを近接させてプランジャ弁体８２を閉弁位置に押し付け、また開操作位置において永久磁石８０の上端面と第二フランジ部５２の上端面とを近接させてプランジャ弁体８２を図中上向き、つまり開弁位置に引き上げるようになした例である。
【００６４】
更に図４（Ｃ）の例は、閉操作位置において永久磁石８４の下端面と第一フランジ部５１の下端面とを近接させてプランジャ弁体８６を閉弁位置に押し付け、また開操作位置において永久磁石８４の下端面と第二フランジ部５２の上端面とを近接させてプランジャ弁体８６を開弁位置に引き上げるようになした例である。
【００６５】
また図４（Ｄ）の例は、閉操作位置において永久磁石８８の下端面とプランジャ弁体９０の第一フランジ部５１の下端面とを近接させてプランジャ弁体９０を閉弁位置に押し付け、また開操作位置において永久磁石８８の上端面と第一フランジ部５１の上端面とを近接させてプランジャ弁体９０を開弁位置に引き上げるようになした例である。
【００６６】
また更に図５の例は、閉操作位置において永久磁石９２の上端面を第一フランジ部５１の下端面に近接させてプランジャ弁体９４を閉弁位置に押し付け、また開操作位置において永久磁石９２を第二フランジ部５２の上端面に近接させてプランジャ弁体９４を開弁位置に引き上げるようになしたものである。
その他本発明においては上例以外の様々な形状且つ位置関係で永久磁石及びプランジャ弁体を構成し、また位置設定することが可能である。
【００６７】
例えば上例では何れもプランジャ弁体に第一フランジ部と第二フランジ部との一対のフランジ部を設けているが、参考例として図６のプランジャ弁体９５のように、単一のフランジ部（ここでは便宜上第二フランジ部５２とする）のみを設けておくといったことも可能である。
【００６８】
この場合においても永久磁石９７の形状及びプランジャ弁体９５のフランジ部５２との相対関係位置の設定によって、閉操作位置で永久磁石９７の下端面と第二フランジ部５２の下端面とを近接させてプランジャ弁体９５を閉弁位置に押し付け、また開操作位置において永久磁石９７の上端面と第二フランジ部５２の上端面とを近接させてプランジャ弁体９５を開弁位置に引き上げるようになすことができる。
【００６９】
また更に、本発明においては図７（Ａ）に示しているように永久磁石５６（７８，８０，８４，８８，９２，９７）の両側にヨーク９９を設けておくこともできるし、また図７（Ｂ）のプランジャ弁体９８のように第一フランジ部５１及び第二フランジ部５２の何れもプランジャ弁体９８における軸方向中間位置（軸端と軸端との間の位置）に設けておくといったことも可能である。
【００７０】
上例では何れもプランジャ弁体全体を吸引部として構成し、そしてそのプランジャ弁体に単数若しくは二つのフランジ部（突出部）５１，５２を形成しているが、本発明においてはかかるフランジ部（突出部）を三つ以上の複数で設けることも可能である。
【００７１】
例えば図８に示すプランジャ弁体１１０のように、第一フランジ部（第一突出部）５１，第二フランジ部（第二突出部）５２，第三フランジ部（第三突出部）５３を軸方向に隔てて形成し、(Ｉ）の閉操作位置において第一フランジ部５１及び第二フランジ部５２を永久磁石１１１により強く吸引して、プランジャ弁体１１０を閉弁位置に押し付け、また(II)の開操作位置において第二フランジ部５２及び第三フランジ部５３を永久磁石１１１により強く吸引して、プランジャ弁体１１０を開弁位置に引き上げるようになすことができる。
尚ここではフランジ部（突出部）をプランジャ弁体に三つ設けた場合を例示したが、四個以上の複数設けることも可能である。
【００７２】
以上はプランジャ弁体全体を磁性体且つ非永久磁石にて構成した例、即ちプランジャ弁体の全体を吸引部として構成した例であるが、かかるプランジャ弁体を吸引部と樹脂との複合体として構成することも可能である。
【００７３】
図９はその一例を示している。図示のようにこの例のプランジャ弁体１１２は、磁性体且つ非永久磁石から成る吸引部１１４と樹脂１１６とが一体化され、プランジャ弁体１１２がそれらの複合体として構成されている。
ここで吸引部１１４は、そのほぼ全体が樹脂１１６の内部に埋没する状態で設けられており、第一フランジ部５１，第二フランジ部５２の外周面、更に軸部４９の下部の一部が外部に露出せしめられている。
【００７４】
以上の構成のプランジャ弁体１１２を用いた場合においても、（Ｂ）に示しているように永久磁石１１８の位置移動によって、プランジャ弁体１１２を閉弁位置に押し付け、或いは開弁位置に引き上げるようになすことができる。
【００７５】
図１０は本発明の更に他の実施例を示している。
この例は磁性体且つ非永久磁石から成る円盤状の第一ブロック１２２，第二ブロック１２４を樹脂１１６と一体化して、それらブロック１２２，１２４により第一突出部１２６，第二突出部１２８を形成している。
この例は、図９のプランジャ弁体１１２において軸部４９を無くし、軸部４９が占めていた部分を樹脂１１６にて埋めた形態と考えることもできる。
但し図１０（Ａ）に示す例の場合、樹脂１１６が直接上記弁座５０に当接することから、第二ブロック１２４の下側の樹脂１１６部分が図９（Ａ）の例に較べて軸方向に長く形成されている。
【００７６】
図１０（Ｂ）はこのプランジャ弁体１２０の開，閉時の様子を示したもので、基本的に図９（Ｂ）の例と同様である。
尚、図１０の例では磁性体且つ非永久磁石から成る複数（図１０の例では二つ）のブロック１２２，１２４を設けているが、場合によりかかるブロックを単数配置して、これを樹脂１１６と一体化し、プランジャ弁体を構成するといったことも可能である。
【００７７】
図１１は本発明の更に他の実施例を示している。
この例は、図８に示す例においてプランジャ弁体１１０における軸部４９の、第一フランジ部（第一突出部）５１と第二フランジ部（第二突出部）５２との間の部分の太さを、第二フランジ部５２と第三フランジ部（第三突出部）５３との間の部分の太さよりも細くした例である。
【００７８】
図１１のプランジャ弁体１１０を図２及び図３における二次パイロット弁装置４２のプランジャ弁体として用いたとき、閉弁時においてプランジャ弁体１１０に対し連通口４６の開口面積に対応した水圧がプランジャ弁体１１０に対して閉弁方向に作用する。
【００７９】
従ってプランジャ弁体１１０を閉弁状態に維持するとき或いは閉弁動作させる際、即ち図１１中下向きに引き下げる際には、水圧の力を利用することができるため比較的弱い力でこれを閉弁状態に維持し或いは閉弁動作させることができる。
一方でプランジャ弁体１１０を閉弁状態から開弁動作させる際、即ち図中上向きに引き上げる際には、水圧に対抗する力が必要である。
【００８０】
ここにおいて軸部４９の第一フランジ部５１と第二フランジ部５２との間の部分の太さを第二フランジ部５２と第三フランジ部５３との間の部分より細くしたとき、図１１（Ｉ）の状態で永久磁石１１１と第一フランジ部５１との間の磁束、つまり吸引力が小さくなるものの、水圧の助けでプランジャ弁体１１０を良好に閉弁状態に維持し或いは同図中下向に引下動作（閉弁動作）させることができる一方で、プランジャ弁体１１０を図中上向きに引上動作（開弁動作）させる際には、第一フランジ部５１と第二フランジ部５２との間の部分を細くしなかった場合に比べて第二フランジ部５２と第三フランジ部５３との間により多くの磁束が集中することで、充分な引上力を維持することができ、水圧に抗して良好にこれを開弁動作させることができる。
【００８１】
但しプランジャ弁体１１０の配置位置，配置形態によっては閉弁状態において水圧の作用が弁を開かせる方向に働く場合があり、この場合には軸部４９の第二フランジ部５２と第三フランジ部５３との間の部分の太さを、第一フランジ部５１と第二フランジ部５２との間の太さよりも細くするようになすことができる。
尚、図８以外の実施例において閉弁方向と開弁方向の磁力を軸部４９の太さを変えることによって或いはその他の手段によって異ならせるといったことも可能である。
【００８２】
図１２は上記図１１に示す弁装置を用いてフラッシュバルブ装置を構成した場合の例を示している。
同図に示しているようにこの例では、上記永久磁石１１１及びプランジャ弁体１１０を含む弁装置を一次パイロット弁装置１４０として構成している。
【００８３】
このフラッシュバルブ装置１０は、主弁装置１６における主弁体１８が弁座２０に当接し又はこれから離間することによって主通水路１２Ａ，１２Ｂが連通し或いは遮断する。
上記一次パイロット弁装置１４０は、主弁体１８の背面側の背圧室２２に連通する一次パイロット通水路２４Ａと、下流側の主通水路１２Ｂに連通する一次パイロット通水路２４Ｂとを連通し或いは遮断することによって主弁体１８を開閉動作させる。
【００８４】
一次パイロット弁装置１４０は、弁座５０に当接又は離間することによって連通口４６を開閉するプランジャ弁体１１０と、弁ケーシング５４と、リング状の永久磁石１１１と、これを軸方向に操作する有底円筒形状の直接操作部材５８と、これを図中上向き即ち閉操作方向に付勢する復帰ばね６０とを有している。
尚１４２は止水弁である。
【００８５】
このフラッシュバルブ装置１０の場合、直接操作部材５８に操作力を加えない状態、即ち図１２（Ａ）の状態の下では永久磁石１１１による吸引力がプランジャ弁体１１０に対し下向きに作用した状態にあり、従ってプランジャ弁体１１０は弁座５０に押し付けられた状態にあって、一次パイロット通水路２４Ａ，２４Ｂを遮断した状態にある。
【００８６】
この状態で（Ｂ）に示しているように直接操作部材５８を下向きに押し込むと、プランジャ弁体１１０に対し永久磁石１１１の吸引力が上向きに作用し、ここにおいてプランジャ弁体１１０が開弁動作してパイロット通水路２４Ａ，２４Ｂが連通した状態となり、ここにおいて背圧室２２の水圧が除かれて主弁体１８が開弁動作する。
【００８７】
一方直接操作部材５８に加えていた押込操作力を除くと、直接操作部材５８及び永久磁石１１１が復帰ばね６０の作用で当初の位置に戻って一次パイロット弁装置１４０が閉弁動作し、続いて主弁装置１６が閉弁動作する。
【００８８】
以上本発明の実施例及び参考例を詳述したがこれはあくまで一例示であり、本発明は上例以外の水回り機器の各種弁装置として、例えば水栓器具における切替弁装置として或いはその他の弁装置として構成することも可能であるなど、その主旨を逸脱しない範囲において種々変更を加えた形態で構成可能である。
【図面の簡単な説明】
【図１】  本発明の一実施例である二次パイロット弁装置を含んだフラッシュバルブを示す図である。
【図２】  図１における二次パイロット弁装置とその周辺部の構造を示す図である。
【図３】  図２の二次パイロット弁装置の作用説明図である。
【図４】  図２及び図３における二次パイロット弁装置におけるプランジャ弁体と永久磁石の他の各形態例を示す図である。
【図５】  図２及び図３における二次パイロット弁装置におけるプランジャ弁体と永久磁石の更に他の形態例を示す図である。
【図６】  図２及び図３における二次パイロット弁装置におけるプランジャ弁体と永久磁石の参考例を示す図である。
【図７】  （Ａ）永久磁石の両側にヨークを配した例を示す図である。
（Ｂ）プランジャ弁体の更に他の形態例を示す図である。
【図８】  図２及び図３における二次パイロット弁装置におけるプランジャ弁体と永久磁石の更に他の形態例を示す図である。
【図９】  図２及び図３における二次パイロット弁装置におけるプランジャ弁体と永久磁石の更に他の形態例を示す図である。
【図１０】  図２及び図３における二次パイロット弁装置におけるプランジャ弁体と永久磁石の更に他の形態例を示す図である。
【図１１】  図８に示す弁装置の他の形態例を示す図である。
【図１２】  図１１の弁装置を用いたフラッシュバルブ装置の他の構成例を示す図である。
【図１３】  本発明の背景説明のために示した比較例図である。
【符号の説明】
１０  フラッシュバルブ
１２Ａ，１２Ｂ  主通水路
１６  主弁装置
１８  主弁体
２６，１４０  一次パイロット弁装置
４２  二次パイロット弁装置
４４Ａ，４４Ｂ  二次パイロット通水路
４６  連通口
４８，７６，８２，８６，９０，９４，９５，９８，１１０，１１２，１２０  プランジャ弁体
５０  弁座
５１  第一フランジ部（第一突出部）
５２  第二フランジ部（第二突出部）
５３  第三フランジ部（第三突出部）
５４  弁ケーシング
５６，７８，８０，８４，８８，９２，９７，１１１，１１８，１３０  永久磁石
５８  直接操作部材
６０  復帰ばね
１１６  樹脂
１２２  第一ブロック
１２４  第二ブロック
１２６  第一突出部
１２８  第二突出部
【図１】
0004077102.tif 000002
【図２】
0004077102.tif 000003
【図３】
0004077102.tif 000004
【図４】
0004077102.tif 000005
【図５】
0004077102.tif 000006
【図６】
0004077102.tif 000007
【図７】
0004077102.tif 000008
【図８】
0004077102.tif 000009
【図９】
0004077102.tif 000010
【図１０】
0004077102.tif 000011
【図１１】
0004077102.tif 000012
【図１２】
0004077102.tif 000013
【図１３】
0004077102.tif 000014